(57)【特許請求の範囲】
【請求項１】
多数の情報データを記憶可能、かつ、記憶した前記情報データをインターネットにおけるネットワーク上に送信可能なサーバ装置を備え、前記インターネットを介して前記サーバ装置にアクセス可能な多数の端末装置が、印字手段を介して前記サーバ装置から受信した前記情報データを出力する情報データ出力システムにおいて、
前記端末装置各々には、ＨＴＴＰ（Ｈｙｐｅｒ
Ｔｅｘｔ Ｔｒａｎｓｆｅｒ Ｐｒｏｔｏｃｏｌ）の記述言語に対するそれら端末装置の互換性の相違（ＨＴＴＰに対する前記端末装置の機種や該端末装置のオペレーティングシステム、前記端末装置にインストールされているアプリケーションソフトウェア、前記端末装置で使用するフォント環境の相違）にかかわらず、それら端末装置が前記情報データを統一された一定の規則性に基づいて規則正しいレイアウトで出力することを可能にする共用アプリケーションソフトウェアがインストールされ、
前記共用アプリケーションソフトウェアが、前記情報データを印字する印刷用紙における該情報データの文字数および行数、前記印刷用紙に印字する前記情報データの個数、前記印刷用紙に印字する前記情報データの文字サイズおよび文字フォントを統一された一定の規則性に基づいて規則正しいレイアウトで出力する状態に自動的に設定する機能を有し、
前記サーバ装置が、前記共用アプリケーションソフトウェアを前記インターネットにおけるネットワーク上に送信する共用アプリケーションソフトウェア送信手段と、前記情報データを前記共用アプリケーションソフトウェアが電子的に処理可能な中間データに変換するデータ変換手段と、前記中間データを前記インターネットを介して前記端末装置に送信するデータ送信手段とを有し、それら端末装置が、前記インターネットを介して前記共用アプリケーションソフトウェアを受信かつインストール可能であり、前記サーバ装置から前記中間データを受信すると、前記共用アプリケーションソフトウェアを利用して前記中間データに変換された前記情報データを統一された一定の規則性に基づいて規則正しいレイアウトで出力する前記印字手段を有することを特徴とする情報データ出力システム。
【請求項２】
前記情報データが、多数のユーザーの、氏名または名称、住所または居所、郵便番号からなる宛名情報データである請求項１に記載の情報データ出力システム。
【請求項３】
前記サーバ装置は、前記住所または居所に基づいて、前記宛名情報データを行政区画別に区分する第１データ補正手段と、
前記端末装置からの要求に基づいて、前記第１データ補正手段により区分された前記宛名情報データの中から、前記端末装置が指定する前記行政区画毎の第１宛名情報データを抽出する第１データ抽出手段とを有し、
前記第１データ抽出手段により抽出された前記第１宛名情報データについて前記データ変換手段と前記データ送信手段とを実行する請求項２記載の情報データ出力システム。
【請求項４】
前記サーバ装置は、前記ユーザーの郵便番号に基づいて、前記宛名情報データを前記郵便番号に対応する行政区画別に区分する第２データ補正手段と、
前記端末装置からの要求に基づいて、前記第２データ補正手段により区分された前記宛名情報データの中から、前記端末装置が指定する前記郵便番号毎の第２宛名情報データを抽出する第２データ抽出手段とを有し、
前記第２データ抽出手段により抽出された前記第２宛名情報データについて前記データ変換手段と前記データ送信手段とを実行する請求項２または請求項３に記載の情報データ出力システム。
【請求項５】
前記宛名情報データが前記ユーザーの職業を含み、前記サーバ装置は、前記ユーザーの職業に基づいて、前記宛名情報データを前記職業別に区分する第３データ補正手段と、
前記端末装置からの要求に基づいて、前記第３データ補正手段により区分された前記宛名情報データの中から、前記端末装置が指定する前記職業毎の第３宛名情報データを抽出する第３データ抽出手段とを有し、
前記第３データ抽出手段により抽出された前記第３宛名情報データについて前記データ変換手段と前記データ送信手段とを実行する請求項２ないし請求項４いずれかに記載の情報データ出力システム。
【請求項６】
前記サーバ装置は、前記氏名または名称、前記住所または居所、のうちのいずれか一方に基づいて、前記宛名情報データを五十音順とアルファベット順とのうちのいずれかに並べ替える第４データ補正手段を有する請求項２ないし請求項５いずれかに記載の情報データ出力システム。
【請求項７】
前記印字手段を介して出力された前記第１〜第３宛名情報データが、郵便物に貼付する宛名ラベルである請求項２ないし請求項６いずれかに記載の情報データ出力システム。
【発明の詳細な説明】
【０００１】
【発明の属する技術分野】
本発明は、インターネットを介して受信した情報データを統一された所定の形式で出力する情報データ出力システムに関する。
【０００２】
【従来の技術】
サーバ装置の内部アドレスファイルに記憶された多数の情報データがインターネットにおけるネットワーク上に送信され、その情報データを受信した端末装置がそれをディスプレイおよびプリンタを介して出力する場合がある。情報データ出力の一例を説明すると、以下のとおりである。
【０００３】
情報データは、多数の出展者が参加して展示会や即売会等のイベントを開催した後、それら出展者が個別に新製品の紹介状や案内状等の郵便物をイベント会場へ来場したユーザーに発送する際、それら郵便物に貼付する宛名ラベルとして使用する場合がある。
【０００４】
イベントでは、ユーザーがイベント会場へ来場を申込むと、ユーザーの氏名や住所、郵便番号等からなる宛名情報データがイベント主催者のサーバ装置の内部アドレスファイルに記憶される。宛名情報データの利用を希望する出展者は、主催者から宛名情報データの提供を受けることができる。宛名情報データは、サーバ装置からインターネットを介して出展者の端末装置に送信される。出展者は、プリンタを介して必要な宛名情報データを出力し、それを郵便物に貼付してユーザーへ発送する。
【０００５】
なお、イベント会場への来場申込みには、電話や申込み用紙の郵送、または、ユーザーがインターネットのＷＷＷブラウザから主催者のアドレスへアクセスし、主催者のサーバ装置の指示にしたがって所定の手続きをする場合がある。電話や用紙での申込みでは、主催者が宛名情報データを入力手段を介してサーバ装置に入力し、サーバ装置の内部アドレスファイルに記憶させる。インターネットからの申込みでは、自動的に宛名情報データがサーバ装置の内部アドレスファイルに記憶される。
【０００６】
【発明が解決しようとする課題】
しかし、前記宛名情報データの出力では、ＨＴＴＰ（Ｈｙｐｅｒ
Ｔｅｘｔ Ｔｒａｎｓｆｅｒ Ｐｒｏｔｏｃｏｌ）の記述言語と宛名情報データを受信した端末装置との間に互換性の相違（ＨＴＴＰに対する端末装置の機種やオペレーティングシステム、アプリケーションソフトウェア、フォント環境等の相違）があると、宛名情報データが不規則に散在してディスプレイに表示されたり、文字が入り乱れた乱雑な状態で印刷用紙に印字されてしまう場合がある。出展者では、それを修正するために、宛名情報データについて文字の置き換えや書式の設定、印字様式の設定、印字位置の指定等のデータ処理をしなければならず、手間と時間とがかかる。
【０００７】
また、前記互換性の相違があると、端末装置が宛名情報データ自体を読み込むことができない場合がある。この場合は、出展者が宛名情報データを主催者から郵送やファクシミリ等で取り寄せなければならない。
【０００８】
本発明の目的は、前記ＨＴＴＰの記述言語に対する前記端末装置の互換性の相違にかかわらず、サーバ装置から送信された情報データを統一された所定の形式でそれら端末装置が出力することができ、情報データに対するデータ処理や情報データを郵送等で取り寄せるための手間や時間を省くことができる情報データ出力システムを提供することにある。
【０００９】
【課題を解決するための手段】
前述した課題を解決するために、本発明が前提とするところは、多数の情報データを記憶可能、かつ、記憶した前記情報データをインターネットにおけるネットワーク上に送信可能なサーバ装置を備え、前記インターネットを介して前記サーバ装置にアクセス可能な多数の端末装置が、印字手段を介して前記サーバ装置から受信した前記情報データを出力する情報データ出力システムである。
【００１０】
かかる前提において、本発明が特徴とするところは、前記端末装置各々には、ＨＴＴＰ（Ｈｙｐｅｒ Ｔｅｘｔ Ｔｒａｎｓｆｅｒ Ｐｒｏｔｏｃｏｌ）の記述言語に対するそれら端末装置の互換性の相違（ＨＴＴＰに対する前記端末装置の機種や該端末装置のオペレーティングシステム、前記端末装置にインストールされているアプリケーションソフトウェア、前記端末装置で使用するフォント環境の相違）にかかわらず、それら端末装置が前記情報データを統一された一定の規則性に基づいて規則正しいレイアウトで出力することを可能にする共用アプリケーションソフトウェアがインストールされ、前記共用アプリケーションソフトウェアが、前記情報データを印字する印刷用紙における該情報データの文字数および行数、前記印刷用紙に印字する前記情報データの個数、前記印刷用紙に印字する前記情報データの文字サイズおよび文字フォントを統一された一定の規則性に基づいて規則正しいレイアウトで出力する状態に自動的に設定する機能を有し、前記サーバ装置が、前記共用アプリケーションソフトウェアを前記インターネットにおけるネットワーク上に送信する共用アプリケーションソフトウェア送信手段と、前記情報データを前記共用アプリケーションソフトウェアが電子的に処理可能な中間データに変換するデータ変換手段と、前記中間データを前記インターネットを介して前記端末装置に送信するデータ送信手段とを有し、それら端末装置が、前記インターネットを介して前記共用アプリケーションソフトウェアを受信かつインストール可能であり、前記サーバ装置から前記中間データを受信すると、前記共用アプリケーションソフトウェアを利用して前記中間データに変換された前記情報データを統一された一定の規則性に基づいて規則正しいレイアウトで出力する前記印字手段を有することにある。
【００１１】
本発明は、以下の実施態様を有する。
（１）前記情報データが、多数のユーザーの、氏名または名称、住所または居所、郵便番号からなる宛名情報データである。
（２）前記サーバ装置は、前記住所または居所に基づいて、前記宛名情報データを行政区画別に区分する第１データ補正手段と、前記端末装置からの要求に基づいて、前記第１データ補正手段により区分された前記宛名情報データの中から、前記端末装置が指定する前記行政区画毎の第１宛名情報データを抽出する第１データ抽出手段とを有し、前記第１データ抽出手段により抽出された前記第１宛名情報データについて前記データ変換手段と前記データ送信手段とを実行する。
（３）前記サーバ装置は、前記ユーザーの郵便番号に基づいて、前記宛名情報データを前記郵便番号に対応する行政区画別に区分する第２データ補正手段と、前記端末装置からの要求に基づいて、前記第２データ補正手段により区分された前記宛名情報データの中から、前記端末装置が指定する前記郵便番号毎の第２宛名情報データを抽出する第２データ抽出手段とを有し、前記第２データ抽出手段により抽出された前記第２宛名情報データについて前記データ変換手段と前記データ送信手段とを実行する。
（４）前記宛名情報データが前記ユーザーの職業を含み、前記サーバ装置は、前記ユーザーの職業に基づいて、前記宛名情報データを前記職業別に区分する第３データ補正手段と、前記端末装置からの要求に基づいて、前記第３データ補正手段により区分された前記宛名情報データの中から、前記端末装置が指定する前記職業毎の第３宛名情報データを抽出する第３データ抽出手段とを有し、前記第３データ抽出手段により抽出された前記第３宛名情報データについて前記データ変換手段と前記データ送信手段とを実行する。
（５）前記サーバ装置は、前記氏名または名称、前記住所または居所、のうちのいずれか一方に基づいて、前記宛名情報データを五十音順とアルファベット順とのうちのいずれかに並べ替える第４データ補正手段を有する。
（６）前記印字手段を介して出力された前記第１〜第３宛名情報データが、郵便物に貼付する宛名ラベルである。
【００１２】
【発明の実施の形態】
添付の図面を参照し、本発明に係る情報データ出力システムの詳細を説明すると、以下のとおりである。本実施の形態では、展示会や即売会等のイベントへ参加した出展者がイベント会場へ来場したユーザーに後日、紹介状や案内状等の郵便物を発送する際、その郵便物に貼付する宛名ラベルを出力する場合を例として説明する。
【００１３】
図１，２は、一例として示す情報データ出力システムの構成図と、このシステムが実行する各手段の一例を示すブロック図とである。このシステムは、イベント主催者の側に設置された第１サーバ装置１と、イベントに参加した出展者の側に設置された端末装置２と、ユーザーの側に設置された端末装置３とから構成されている。
【００１４】
このシステムでは、一人の出展者が一台の端末装置２を保有し、一人のユーザーが一台の端末装置３を保有しているものとする。第１サーバ装置１と端末装置２，３とは、インターネット６を介して電子メールを送受信可能である。
【００１５】
端末装置２には、ディスプレイ２ａからなる表示手段とプリンタ２ｂからなる印字手段とが入出力インターフェイス（図示せず）を介して接続されている。端末装置２には、第２サーバ装置４がネットワークインターフェイス（図示せず）を介して接続されている。
【００１６】
端末装置３には、ディスプレイ３ａからなる表示手段が入出力インターフェイス（図示せず）を介して接続されている。端末装置３には、第３サーバ装置５がネットワークインターフェイス（図示せず）を介して接続されている。
【００１７】
第１サーバ装置１は、中央処理部（図示せず）と、メモリ部（図示せず）とを有するパーソナルコンピュータである。メモリ部は、このシステムにおけるプログラムが記憶された命令ファイルと、データを記憶する内部アドレスファイル１ａ（図３参照）とを有する。
【００１８】
中央処理部は、オペレーティングシステムによる制御に基づいて、メモリ部に記憶されているプログラムを起動し、プログラムに従って後記の各手段を実行する。中央処理部は、実行される各手段に対応するプログラムをメモリ部から随時取り込んで解読し、必要な指令を出力する。
【００１９】
中央処理部は、受信または入力されたデータを取り込み、データ毎にアドレス付けを行って内部アドレスファイル１ａに割り振られた各領域に格納する。データには、多数のユーザーの宛名情報データの他に、このシステムの運用に必要なすべての情報データが含まれる。
【００２０】
端末装置２，３と第２および第３サーバ装置４，５とは、中央処理部（図示せず）と、メモリ部（図示せず）とを有するパーソナルコンピュータである。端末装置２，３には、メール・クライアントがインストールされている。
【００２１】
第１〜第３サーバ装置１，４，５は、インターネット６におけるネットワーク上に存在する他の多数のサーバ装置（図示せず）に対して電子メールを送信可能、かつ、それらサーバ装置から電子メールを受信可能である。
【００２２】
第１〜第３サーバ装置１，４，５には、電子メールを送受信するためのソフトウェアがインストールされている。ソフトウェアのうち、電子メール送信用としては、ＳＭＴＰ（Ｓｉｍｐｌｅ
Ｍａｉｌ Ｔｒａｎｓｆｅｒ Ｐｒｏｔｏｃｏｌ）を例示することができ、電子メール受信用としては、ＰＯＰ３（ＰｏｓｔＯｆｆｉｃｅ Ｐｒｏｔｏｃｏｌ Ｖｅｒｓｉｏｎ３）を例示することができる。
【００２３】
第２サーバ装置４は、第１サーバ装置１からユーザーの宛名情報データを受信し、それを端末装置２に配信する。また、第２サーバ装置４は、端末装置２からの指示を第１サーバ装置１へ送信する。
【００２４】
第３サーバ装置５は、端末装置３から入力された宛名情報データを第１サーバ装置１へ送信し、第１サーバ装置１から受信した指示を端末装置３に配信する。
【００２５】
第１サーバ装置１に記憶される宛名情報データとしては、ユーザーの、氏名または名称、住所または居所、郵便番号、職業がある。宛名情報データとしては、それらの他に、ユーザーの電子メールアドレスがある。また、ユーザーが個人の場合では、会社内におけるユーザーの部署や役職、ユーザーの年齢や性別、ＦＡＸ番号がある。ユーザーが法人の場合では、法人の業種、代表者の氏名、ＦＡＸ番号がある。
【００２６】
それら宛名情報データは、イベント会場への来場申込み時または申込み後に第１サーバ装置１に記憶される。イベント会場への来場申込みを行う一例は、ユーザーが端末装置３からインターネット６におけるＷＷＷブラウザを介してイベント主催者のアドレスへアクセスする。
【００２７】
第１サーバ装置１と端末装置３とがインターネット６を介して接続された場合、端末装置３の表示部３ａには、図示はしていないが、ユーザーの、氏名または名称、住所または居所、郵便番号、会社名、部署、役職、電話番号、ＦＡＸ番号、ｅ−ｍａｉｌアドレス（電子メールアドレス）と、それら宛名情報データを入力するための入力エリアとが表示される。
【００２８】
ユーザーは、入力エリアにそれら宛名情報データを入力し、送信タブをクリックする。宛名情報データは、第３サーバ装置５を介して第１サーバ装置１へ送信される。
【００２９】
第１サーバ装置１は、それら宛名情報データが第３サーバ装置５から送信されたことを確認し、ユーザーからのイベント来場申込みを受け付ける。第１サーバ装置１では、ユーザーから来場申込みを受け付けた後、宛名情報データを内部アドレスファイル１ａに記憶する。
【００３０】
また、入場申込みを電話で受け付けた場合や申込み用紙の郵送により受け付けた場合では、申込み受付後に主催者が宛名情報データを入力手段を介して第１サーバ装置１に入力し、それを第１サーバ装置１の内部アドレスファイル１ａに記憶させる。
【００３１】
このシステムの概要を以下に説明する。第１サーバ装置１の内部アドレスファイル１ａには、図２に示すように、多数のユーザーの宛名情報データが既に記憶されている（Ｓ−１）。
【００３２】
出展者は、主催者のアドレスにアクセスし、第１サーバ装置１に記憶された宛名情報データを検索する（Ｓ−２）。図２では、端末装置２に共用アプリケーションソフトウェアがインストールされているものとする。
【００３３】
共用アプリケーションソフトウェアは、ＨＴＴＰ（Ｈｙｐｅｒ
Ｔｅｘｔ Ｔｒａｎｓｆｅｒ Ｐｒｏｔｏｃｏｌ）の記述言語と端末装置２との間に互換性の相違（ＨＴＴＰに対する端末装置２の機種や端末装置２のオペレーティングシステム、端末装置２にインストールされているアプリケーションソフトウェア、端末装置２で使用するフォント環境等の相違）があったとしても、統一した所定の形式で宛名情報データをディスプレイ２ａに表示させ、かつ、統一した所定の形式で宛名情報データをプリンタ２ｂに印字させるソフトウェアである。
【００３４】
ここで、所定の形式とは、一定の規則性に基づいて整理された宛名情報データが、規則正しくディスプレイ２ａに表示またはプリンタ２ｂから印字されるその状態をいう。
【００３５】
共用アプリケーションソフトウェアは、宛名情報データを印字する印刷用紙における宛名情報データの文字数および行数を統一された一定の規則性に基づいて規則正しいレイアウトで出力する状態に自動的に設定し、印刷用紙に印字する宛名情報データの個数を統一された一定の規則性に基づいて規則正しいレイアウトで出力する状態に自動的に設定するとともに、印刷用紙に印字する宛名情報データの文字サイズおよび文字フォントを統一された一定の規則性に基づいて規則正しいレイアウトで出力する状態に自動的に設定し、印刷用紙の上下端縁および両側縁のマージン等を統一された一定の規則性に基づいて規則正しいレイアウトで出力する状態に自動的に設定する機能を有する。したがって、共用アプリケーションソフトウェアは、宛名情報データをディスプレイまたは印刷用紙に無駄なく一定の規則性に基づいて規則正しいレイアウトで表示または印字する機能を有する。
【００３６】
その具体例としては、たとえば、端末装置２においてＡ４縦の印刷用紙を選択すると、１行文字数を８０字、１頁行数を３０行に設定するとともに、用紙の上下端縁と両側縁とのマージンをそれぞれ１０ｍｍに設定し、一人のユーザーの氏名、住所、郵便番号が３０字以内かつ５行に納まるように配置する。さらに、ユーザー毎の宛名情報データを横方向に２データ並べ、縦方向に５データ並べて印字する（印刷用紙１枚には、合計１０データの宛名情報が印字される）。
【００３７】
出展者は、宛名情報データの中から必要とするデータを指定し、そのデータの送信指示を第２サーバ装置３を介して第１サーバ装置１に送信する（Ｓ−３）。
【００３８】
第１サーバ装置１では、端末装置２からの指示に基づいて、送信すべき宛名情報データを共用アプリケーションソフトウェアが電子的に処理可能な中間データに変換する（データ変換手段）（Ｓ−４）。第１サーバ装置１は、インターネット６を介して中間データを第２サーバ装置３に送信する（データ送信手段）（Ｓ−５）。
【００３９】
中間データは、第２サーバ装置３から端末装置２に配信される。中間データを受信した端末装置２は、共用アプリケーションソフトウェアを利用して中間データに変換された宛名情報データを読み込み（Ｓ−６）、ディスプレイ２ａを介してそれら宛名情報データを表示させるとともに、プリンタ２ｂを介してそれら宛名情報データを印字する（Ｓ−７）。
【００４０】
図３は、図２のブロック図の詳細を示すフローチャート図である。第１サーバ装置１は、以下のデータ補正手段とデータ抽出手段とを有し、それら手段によって宛名情報データを区分かつ抽出する。
【００４１】
第１サーバ装置１は、記憶したユーザーの住所または居所に基づいて、宛名情報データを都道府県、市町村に対応する行政区画別に区分することができ（第１データ補正手段）、第１データ補正手段により区分された宛名情報データの中から、端末装置２が指定する行政区画毎の第１宛名情報データを抽出することができる（第１データ抽出手段）。行政区画には、都道府県、市町村の他に、都の特別区、指定都市の行政区、島域が含まれる。
【００４２】
第１サーバ装置１は、ユーザーの郵便番号に基づいて、宛名情報データを郵便番号に対応する行政区画別に区分することができ（第２データ補正手段）、第２データ補正手段により区分された宛名情報データの中から、端末装置２が指定する郵便番号毎の第２宛名情報データを抽出することができる（第２データ抽出手段）。郵便番号に対応する行政区画には、第１補正手段における行政区画をさらに細分化した、町域、大口事業所、私書箱が含まれる。
【００４３】
第１サーバ装置１は、ユーザーの職業に基づいて、宛名情報データを職業別に区分することができ（第３データ補正手段）、第３データ補正手段により区分された宛名情報データの中から、端末装置２が指定する職業毎の第３宛名情報データを抽出することができる（第３データ抽出手段）。職業には、建設業、金融業、製造業、サービス業、その他等がある。
【００４４】
第１サーバ装置１は、それら補正手段の他に、ユーザーの氏名または名称、ユーザーの住所または居所、のうちのいずれか一方に基づいて、宛名情報データを五十音順とアルファベット順とのうちのいずれかに並べ替えることができる（第４データ補正手段）。
【００４５】
第１サーバ装置１では、それら補正手段を出展者の宛名情報データ検索時に実行し、それら抽出手段を出展者からの宛名情報データの送信指示が行われた後に実行する。第１サーバ装置１では、それら補正手段を宛名情報データを記憶する毎に実行することもできる。
【００４６】
このシステムは、図３に示すように、出展者が第２サーバ装置３を介してインターネット６におけるＷＷＷブラウザから主催者のアドレスにアクセスする（Ｓ−１０）。出展者は、第１サーバ装置１と端末装置２とがインターネット６を介して接続された後に、端末装置２において宛名情報データを検索することが可能となる。
【００４７】
端末装置２では、宛名情報データの検索時に、共用アプリケーションソフトウェアが端末装置２にインストールされているか否かを判断する（Ｓ−１１）。共用アプリケーションソフトウェアがインストールされていない場合、端末装置２は、それのインストール指示をディスプレイに表示させる。出展者は、端末装置２の指示にしたがって共用アプリケーションソフトウェアのインストールを行う（Ｓ−１２）。
【００４８】
このシステムでは、共用アプリケーションソフトウェアが第１サーバ装置１からインターネット６におけるネットワーク上に送信されている。端末装置２では、ネットワーク上から共用アプリケーションソフトウェアをダウンロードし、セットアッププログラムを使用して共用アプリケーションソフトウェアをインストールする。また、共用アプリケーションソフトウェアを記憶したＣＤ−ＲＯＭを使用してそれをインストールすることもできる。
【００４９】
共用アプリケーションソフトウェアがインストールされた端末装置２では、それに接続されたディスプレイ２ａに宛名情報データに対する検索画面が表示される（Ｓ−１３）。出展者は、宛名情報データを以下の検索情報に基づいて検索する（Ｓ−１４）。
【００５０】
（１）宛名情報データを行政区画に基づいて検索する。（２）宛名情報データを郵便番号に対応する行政区画に基づいて検索する。（３）宛名情報データを職業に基づいて検索する。
【００５１】
検索画面には、図示はしていないが、前記（１）〜（３）の検索情報が表示され、それら検索情報のいずれかをクリックすることによって、検索情報を選択することができる。
【００５２】
第１サーバ装置１では、出展者が宛名情報データの検索中に、第１〜第３補正手段によって宛名情報データを行政区画別、郵便番号別、職業別に区分する（Ｓ−１５）。検索が終了すると、その結果がディスプレイ２ａに表示される（Ｓ−１６）。それらの具体例を以下に説明する。
【００５３】
出展者が（１）の検索情報を選択すると、都道府県、市町村、特別区、行政区とともにそれら行政区画の入力エリアが検索画面に表示される。次に、出展者がそれら行政区画のうちの都道府県をクリックまたは入力すると、第１サーバ装置１が第１補正手段によって宛名情報データを東京都、千葉県、埼玉県等の都道府県別に区分する（Ｓ−１５）。検索画面には、それら都道府県とともに都道府県の入力エリアが表示される。さらに、出展者が東京都をクリックまたは入力すると、東京都に住所を有する多数のユーザーの宛名情報データがディスプレイ２ａに表示される（Ｓ−１６）。
【００５４】
また、出展者がそれら行政区画のうちの特別区をクリックまたは入力すると、第１サーバ装置１が第１補正手段によって宛名情報データを港区、中央区、品川区等の特別区別に区分する（Ｓ−１５）。検索画面には、それら特別区とともに特別区の入力エリアが表示される。さらに、出展者が中央区と港区とをクリックまたは入力すると、中央区および港区に住所を有する多数のユーザーの宛名情報データがディスプレイ２ａに表示される（Ｓ−１６）。
【００５５】
出展者が（２）の検索情報を選択すると、多数の郵便番号とともに郵便番号を入力するエリアが検索画面に表示される。出展者が所要の郵便番号をクリックまたは入力すると、第１サーバ装置１が第２補正手段によって宛名情報データをその郵便番号に対応する町域に区分する（Ｓ−１５）。検索画面には、それら町域が表示される。さらに、出展者が所要の町域をクリックまたは入力すると、選択した町域に住所を有する多数のユーザーの宛名情報データがディスプレイ２ａに表示される（Ｓ−１６）。
【００５６】
出展者が（３）の検索情報を選択すると、多数の職業とともに職業の入力エリアが検索画面に表示される。出展者が所要の職業をクリックまたは入力すると、第１サーバ装置１が第３補正手段によって宛名情報データを選択された職業別に区分する（Ｓ−１５）。ディスプレイ２ａには、その職業に対応する多数のユーザーの宛名情報データが表示される（Ｓ−１６）。
【００５７】
ディスプレイ２ａには、宛名情報データがユーザーの氏名または名称に基づいて五十音順に並べ替えられて表示される。
【００５８】
端末装置２では、検索した宛名情報データを受信するかクリアするかをディスプレイ２ａに表示させ、出展者からの入力を待つ（Ｓ−１７）。出展者が宛名情報データの受信を選択した場合は、宛名情報データの送信指示が端末装置２から第１サーバ装置１に送信される（Ｓ−１８）。
【００５９】
端末装置２では、ディスプレイ２ａに表示された宛名情報データのうちの一部を指定してそれを受信することもできる。出展者が宛名情報データのクリアを選択した場合は、Ｓ−１４に戻って手続きを繰り返す。
【００６０】
第１サーバ装置１では、内部アドレスファイル１ａに記憶された宛名情報データの中から、出展者が指定した宛名情報データを前記第１〜第３抽出手段によって抽出する（Ｓ−１９）。その具体例を以下に説明する。
【００６１】
第１サーバ装置１は、出展者が港区および中央区の宛名情報データの送信を指示すると、第１抽出手段によって港区および中央区の宛名情報データを抽出する（Ｓ−１９）。第１サーバ装置１は、出展者が選択した郵便番号に対応する町域別の宛名情報データの送信を指示すると、第２抽出手段によってその町域の宛名情報データを抽出する（Ｓ−１９）。また、第１サーバ装置１は、出展者が選択した職業別の宛名情報データの送信を指示すると、第３抽出手段によってその職業に該当する宛名情報データを抽出する（Ｓ−１９）。
【００６２】
第１サーバ装置１では、抽出したデータを共用アプリケーションソフトウェアが電子的に処理可能な中間データに変換する（Ｓ−２０）。第１サーバ装置１では、中間データをインターネット６を介して第２サーバ装置４に送信する（Ｓ−２１）。第１サーバ装置１は、端末装置２との接続が切断された後のオフラインにおいて抽出した中間データを第２サーバ装置４に送信することもできる。
【００６３】
第２サーバ装置４では、受信した中間データをメモリに記憶し、端末装置２に中間データを配信する（Ｓ−２２）。端末装置２では、共用アプリケーションソフトウェアを利用して中間データに変換された宛名情報データを読み込むとともに（Ｓ−２３）、それをメモリに記憶する。
【００６４】
端末装置２では、宛名情報データを印刷イメージに置き換えてそれをディスプレイ２ａに表示させ（Ｓ−２４）、宛名情報データを宛名ラベルとしてプリンタ２ｂから出力させる（Ｓ−２５）。端末装置２では、宛名情報データを受信した後に、宛名情報データの並べ替えや不必要な宛名情報データの削除等のデータ処理を行うことができる。
【００６５】
図４，５は、ディスプレイ２ａに表示された宛名情報データの一例を示す図と、プリンタ２ｂから出力された宛名情報データの一例を示す図とである。図４，５に示す宛名情報データは、宛名情報データが特別区検索されたものである。ディスプレイ２ａには、ユーザー毎の氏名、住所、郵便番号を１データとし、それが横方向に２データ並び、縦方向に５データ並んだ状態で表示されている。
【００６６】
宛名情報データは、Ａ４縦のラベル用紙にユーザー毎の氏名、住所、郵便番号が所定の文字数以内かつ所定の行数以内に印字されており、ユーザー毎の宛名情報データが横方向に２データ並び、縦方向に５データ並んだ状態で合計１０データ印字されている。出展者は、ユーザー毎にラベル用紙を切り取り、切り取った用紙を宛名ラベル７として紹介状や案内状等の郵便物に貼付する。
【００６７】
このシステムでは、ＨＴＴＰの記述言語と宛名情報データを受信した端末装置２との間に互換性の相違があったとしても、宛名情報データが不規則にばらけてしまうことはなく、それを規則正しく表示かつ印字させることができる。
【００６８】
このシステムの宛名情報データは、その対象がイベント会場に来場するユーザーに限定するものではなく、特定の業者から製品を購入するユーザー、ホテルや旅行の申込みをするユーザー、振込や振替、残高紹介等の銀行業務のサービスを受けるユーザー、証券会社に対して取引を行うユーザー等のあらゆる商取引に登場するユーザーが対象となる。また、このシステムを利用する者には、イベント主催者やイベント出展者の他に、あらゆる商取引に登場する法人、個人が対象となる。
【００６９】
【発明の効果】
本発明にかかる情報データ出力システムよれば、ＨＴＴＰの記述言語に対する端末装置の互換性の相違にかかわらず、端末装置が統一した所定の形式で情報データを表示手段および印字手段を介して出力することができるので、端末装置において情報データに対するデータ処理を行う必要や情報データを郵送等で取り寄せる必要はなく、手間と時間とを節約することができる。
【００７０】
端末装置では、それに共用アプリケーションソフトウェアがインストールされていない場合でも、第１サーバ装置からネットワーク上に送信された共用アプリケーションソフトウェアをダウンロードし、セットアッププログラムを使用してインストールすることができる。
【００７１】
情報データが多数のユーザーの氏名または名称、住所または居所、郵便番号、職業からなる宛名情報データの場合は、以下の効果を有する。
【００７２】
第１サーバ装置では、宛名情報データを行政区画別に区分することができるので、端末装置が行政区画毎に宛名情報データを受信することができ、ユーザーの宛名情報データを都道府県別、市町村別、都の特別区別、指定都市の行政区別に区分して出力することができる。
【００７３】
第１サーバ装置では、宛名情報データを郵便番号に対応する行政区画別に区分することができるので、端末装置がユーザーの宛名情報データを町域別、大口事業所別、私書箱別等に一層細分化して出力することができ、より狭い地域に限定したユーザーの宛名情報データを得る場合に好適である。
【００７４】
第１サーバ装置では、宛名情報データを職業別に区分することができるので、端末装置がユーザーの宛名情報データを所要の職業に従事する個人や所要の職業を営む法人に限定して出力することができ、所定の職業に限定したユーザーの宛名情報データを得る場合に好適である。
【００７５】
第１サーバ装置では、ユーザーの氏名または名称、ユーザーの住所または居所、のうちのいずれか一方に基づいて、宛名情報データを五十音順とアルファベット順とのうちのいずれかに並べ替えることができるので、端末装置においてそれらの作業をする必要はない。
【図面の簡単な説明】
【図１】  一例として示す宛名情報データ処理システムの構成図。
【図２】  システムにおける各手段の順序を示すブロック図。
【図３】  図２のブロック図の詳細を示すフローチャート図。
【図４】  ディスプレイに表示された宛名情報データの一例を示す図。
【図５】  プリンタから出力された宛名ラベルの一例を示す図。
【符号の説明】
１  サーバ装置（第１サーバ装置）
２  端末装置
２ａ  ディスプレイ（表示手段）
２ｂ  プリンタ（印字手段）
６  インターネット
７  宛名ラベル
【図１】
0004758546.tif 000002
【図２】
0004758546.tif 000003
【図３】
0004758546.tif 000004
【図４】
0004758546.tif 000005
【図５】
0004758546.tif 000006